【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
前記外表面は、前記電気的接触面と交差する第３方向に位置し、
前記外表面は、前記第３方向に移動可能であり、
前記ホルダは、
前記第３方向における第１端部であって、前記外表面を有する第１端部と、
前記第１端部から前記第３方向に離れた第２端部と、を備え、
前記第１端部は、前記第２端部に対して、前記第３方向に移動可能であることを特徴とする現像カートリッジ。
【請求項２】
請求項１に記載の現像カートリッジであって、
前記電気的接触面は、前記電気的接触面と交差する第３方向に移動可能であることを特徴とする現像カートリッジ。
【請求項３】
請求項１に記載の現像カートリッジであって、
前記ホルダは、
前記第１端部と前記第２端部との間に位置する弾性部材であって、第１状態と第２状態との間で前記第３方向に伸縮可能な弾性部材を備え、
前記第１状態における前記弾性部材の前記第３方向の長さは、前記第２状態における前記弾性部材の前記第３方向の長さよりも長いことを特徴とする現像カートリッジ。
【請求項４】
請求項３に記載の現像カートリッジであって、
前記弾性部材が前記第２状態のとき、前記ホルダは、前記筐体に対して、前記第１位置と前記第２位置との間で前記第２方向に、移動可能であることを特徴とする現像カートリッジ。
【請求項５】
請求項４に記載の現像カートリッジであって、
前記現像カートリッジが画像形成装置に取り付けられるときに、前記弾性部材が前記第１状態から前記第２状態となり、
前記弾性部材が前記第２状態のときに前記電気的接触面が前記画像形成装置の電気コネクタと接触し、
前記ホルダは、前記弾性部材が前記第２状態のときに、前記筐体に対して、前記第１位置と前記第２位置との間で前記第２方向に移動可能であることを特徴とする現像カートリッジ。
【請求項６】
請求項１に記載の現像カートリッジであって、
第１状態と第２状態との間で前記第３方向に伸縮可能な弾性部材であって、前記外表面と共に移動可能な弾性部材をさらに備え、
前記第１状態における前記弾性部材の前記第３方向の長さは、前記第２状態における前記弾性部材の前記第３方向の長さよりも長いことを特徴とする現像カートリッジ。
【請求項７】
請求項６に記載の現像カートリッジであって、
前記弾性部材が前記第２状態のとき、前記ホルダは、前記筐体に対して、前記第１位置と前記第２位置との間で前記第２方向に、移動可能であることを特徴とする現像カートリッジ。
【請求項８】
請求項７に記載の現像カートリッジであって、
前記現像カートリッジが画像形成装置に取り付けられるときに、前記弾性部材が前記第１状態から前記第２状態となり、
前記弾性部材が前記第２状態のときに、前記電気的接触面が前記画像形成装置の電気コネクタと接触し、
前記ホルダは、前記弾性部材が前記第２状態のときに、前記筐体に対して、前記第１位置と前記第２位置との間で前記第２方向に移動可能であることを特徴とする現像カートリッジ。
【請求項９】
請求項３から請求項８のいずれか一項に記載の現像カートリッジであって、
前記第２状態における前記弾性部材の前記第３方向の長さは、前記弾性部材の自然長よりも短いことを特徴とする現像カートリッジ。
【請求項１０】
請求項３から請求項９のいずれか一項に記載の現像カートリッジであって、
前記弾性部材は、ばねであることを特徴とする現像カートリッジ。
【請求項１１】
請求項１０に記載の現像カートリッジであって、
前記ばねは、コイルばねであることを特徴とする現像カートリッジ。
【請求項１２】
請求項１に記載の現像カートリッジであって、
前記ホルダは、前記第３方向における前記第１端部と前記第２端部との間の距離が第１距離である離間状態と、前記第３方向における前記第１端部と前記第２端部との間の距離が第１距離よりも短い第２距離である近接状態と、を有し、
前記ホルダが前記近接状態のとき、前記ホルダは、前記第１端部と前記第２端部とが互いに離れる方向へ付勢されていることを特徴とする現像カートリッジ。
【請求項１３】
請求項１２に記載の現像カートリッジであって、
前記弾性部材が前記第２状態のとき、前記ホルダは、前記筐体に対して、前記第１位置と前記第２位置との間で前記第２方向に、移動可能であることを特徴とする現像カートリッジ。
【請求項１４】
請求項１３に記載の現像カートリッジであって、
前記現像カートリッジが画像形成装置に取り付けられるときに、前記ホルダが前記離間状態から前記近接状態となり、
前記ホルダが前記近接状態のときに前記電気的接触面が前記画像形成装置の電気コネクタと接触し、
前記ホルダが前記近接状態のときに、前記ホルダは、前記筐体に対して、前記第１位置と前記第２位置との間で前記第２方向に移動可能であることを特徴とする現像カートリッジ。
【請求項１５】
請求項１に記載の現像カートリッジであって、
前記ホルダは、前記第３方向に伸縮可能な弾性体であることを特徴とする現像カートリッジ。
【請求項１６】
請求項１から請求項１５のいずれか一項に記載の現像カートリッジであって、
前記ホルダは、前記筐体の前記第１方向の側部に配置されることを特徴とする現像カートリッジ。
【請求項１７】
請求項１６に記載の現像カートリッジであって、
前記筐体の前記第１方向の前記側部に位置するホルダカバーであって、前記ホルダの少なくとも一部を覆うホルダカバーをさらに備え、
前記ホルダカバーは、第１凹部または第１貫通孔を有し、
前記ホルダは、前記第１方向に延び、前記第１凹部または前記第１貫通孔の内部に挿入される第１ボスをさらに備え、
前記筐体に対して前記ホルダが前記第１位置と前記第２位置との間で前記第２方向に移動するときに、前記第１ボスは、前記第１凹部または前記第１貫通孔の内部において前記第２方向に移動可能であることを特徴とする現像カートリッジ。
【請求項１８】
請求項１７に記載の現像カートリッジであって、
前記第１凹部または前記第１貫通孔の前記第２方向の大きさは、前記第１ボスの前記第２方向の大きさよりも大きいことを特徴とする現像カートリッジ。
【請求項１９】
請求項１７または請求項１８に記載の現像カートリッジであって、
前記筐体の前記第１方向の側部は、第２凹部または第２貫通孔を有し、
前記ホルダは、前記第１方向に延び、前記ホルダに対して、前記第１ボスとは反対側に位置する第２ボスであって、前記第２凹部または前記第２貫通孔の内部に挿入される第２ボスをさらに備え、
前記筐体に対して前記ホルダが前記第１位置と前記第２位置との間で前記第２方向に移動するときに、前記第２ボスは、前記第２凹部または前記第２貫通孔の内部において前記第２方向に移動可能であることを特徴とする現像カートリッジ。
【請求項２０】
請求項１９に記載の現像カートリッジであって、
前記第２凹部または前記第２貫通孔の前記第２方向の大きさは、前記第２ボスの前記第２方向の大きさよりも大きいことを特徴とする現像カートリッジ。
【請求項２１】
請求項１７から請求項２０のいずれか一項に記載の現像カートリッジであって、
前記ホルダは、さらに、前記筐体に対して、第３位置と第４位置との間で前記第３方向に移動可能であり、
前記ホルダが前記第３位置と前記第４位置との間で前記第３方向に移動するときに、前記第１ボスは、前記第１凹部内または前記第１貫通孔内において前記第３方向に移動可能であることを特徴とする現像カートリッジ。
【請求項２２】
請求項２１に記載の現像カートリッジであって、
前記第１凹部または前記第１貫通孔の前記第３方向の大きさは、前記第１ボスの前記第３方向の大きさよりも大きいことを特徴とする現像カートリッジ。
【請求項２３】
請求項２１または請求項２２に記載の現像カートリッジであって、
前記筐体の前記第１方向の側部は、第２凹部または第２貫通孔を有し、
前記ホルダは、前記第１方向に延び、前記ホルダに対して、前記第１ボスとは反対側に位置する第２ボスであって、前記第２凹部または前記第２貫通孔の内部に挿入される第２ボスをさらに備え、
前記ホルダは、さらに、前記筐体に対して、第３位置と第４位置との間で前記第３方向に移動可能であり、
前記筐体に対して前記ホルダが前記第１位置と前記第２位置との間で前記第２方向に移動するときに、前記第２ボスは、前記第２凹部または前記第２貫通孔の内部において前記第２方向に移動可能であり、
前記ホルダが前記第３位置と前記第４位置との間で前記第３方向に移動するときに、前記第２ボスは、前記第２凹部内または前記第２貫通孔内において前記第３方向に移動可能であることを特徴とする現像カートリッジ。
【請求項２４】
請求項２３に記載の現像カートリッジであって、
前記第１凹部または前記第１貫通孔の前記第３方向の大きさは、前記第１ボスの前記第３方向の大きさよりも大きく、
前記第２凹部または前記第２貫通孔の前記第３方向の大きさは、前記第２ボスの前記第３方向の大きさよりも大きいことを特徴とする現像カートリッジ。
【請求項２５】
請求項１６に記載の現像カートリッジであって、
前記筐体は、
前記筐体の前記第１方向の前記側部に位置するホルダカバーであって、前記ホルダの少なくとも一部を覆うホルダカバーと、
前記第１方向に延びるボスであって、前記側部と前記ホルダカバーとの間に位置するボスと、をさらに備え、
前記ホルダは、前記ボスが挿入される凹部または貫通孔をさらに有し、
前記ホルダが前記第１位置と前記第２位置との間で前記第２方向に移動するときに、前記ボスは、前記凹部または前記貫通孔の内部において前記第２方向に移動可能であることを特徴とする現像カートリッジ。
【請求項２６】
請求項２５に記載の現像カートリッジであって、
前記凹部または前記貫通孔の前記第２方向の長さは、前記ボスの前記第２方向の長さよりも長いことを特徴とする現像カートリッジ。
【請求項２７】
請求項２５または請求項２６に記載の現像カートリッジであって、
前記ホルダは、さらに、前記筐体に対して、第３位置と第４位置との間で前記第３方向に移動可能であり、
前記ホルダが前記第３位置と前記第４位置との間で前記第３方向に移動するときに、前記ボスは、前記凹部内または前記貫通孔内において前記第３方向に移動可能であることを特徴とする現像カートリッジ。
【請求項２８】
請求項２７に記載の現像カートリッジであって、
前記凹部または前記貫通孔の前記第３方向の大きさは、前記ボスの前記第３方向の大きさよりも大きいことを特徴とする現像カートリッジ。
【請求項２９】
請求項２５から請求項２８のいずれか一項に記載の現像カートリッジであって、
前記ホルダカバーは、前記ボスを備えることを特徴とする現像カートリッジ。
【請求項３０】
請求項２５から請求項２８のいずれか一項に記載の現像カートリッジであって、
前記側部は、前記ボスを備えることを特徴とする現像カートリッジ。
【請求項３１】
請求項１または請求項２に記載の現像カートリッジであって、
前記筐体と前記ホルダとの間において、前記第３方向に延びる弾性体をさらに備え、
前記弾性体の前記第３方向の一端が、前記ホルダに接続され、
前記弾性体の前記第３方向の他端が、前記筐体に接続され、
前記弾性体の前記一端が、前記他端に対して、前記第２方向に移動可能であることを特徴とする現像カートリッジ。
【請求項３２】
請求項１または請求項２に記載の現像カートリッジであって、
前記筐体と前記ホルダとの間において、前記第３方向に延びるアームをさらに備え、
前記アームの前記第３方向の一端が、前記筐体に対して回転可能に接続され、
前記アームの前記第３方向の他端が、前記ホルダに対して回転可能に接続され、
前記アームの前記他端が、前記アームの一端に対して前記第２方向に移動可能であることを特徴とする現像カートリッジ。
【請求項３３】
請求項１または請求項２に記載の現像カートリッジであって、
レバーをさらに備え、
前記レバーの動作に応じて、前記ホルダは、前記第３方向に移動可能であることを特徴とする現像カートリッジ。
【請求項３４】
請求項１から請求項３３のいずれか一項に記載の現像カートリッジであって、
前記ホルダは、前記記憶媒体と共に移動可能であることを特徴とする現像カートリッジ。
【請求項３５】
請求項１から請求項３４のいずれか一項に記載の現像カートリッジであって、
前記ホルダは、前記外表面に前記電気的接触面を保持することを特徴とする現像カートリッジ。
【請求項３６】
請求項１から請求項３５のいずれか一項に記載の現像カートリッジであって、
前記記憶媒体は、前記ホルダの外表面に位置することを特徴とする現像カートリッジ。
【請求項３７】
請求項３６に記載の現像カートリッジであって、
前記ホルダは、前記外表面に前記記憶媒体を保持することを特徴とする現像カートリッジ。
【請求項３８】
請求項１から請求項３７のいずれか一項に記載の現像カートリッジであって、
前記外表面は、前記電気的接触面と交差する第３方向に位置することを特徴とする現像カートリッジ。
【請求項３９】
請求項１から請求項３８のいずれか一項に記載の現像カートリッジであって、
前記現像ローラは、前記筐体の中央よりも前記第２方向において一方側に位置することを特徴とする現像カートリッジ。
【請求項４０】
請求項１から請求項３９のいずれか一項に記載の現像カートリッジであって、
前記第２方向は、前記第１方向に交差することを特徴とする現像カートリッジ。
【請求項４１】
請求項４０に記載の現像カートリッジであって、
前記第２方向は、前記第１方向に直交することを特徴とする現像カートリッジ。
【請求項４２】
請求項３６または請求項３７のいずれか一項に記載の現像カートリッジであって、
前記記憶媒体は、前記電気的接触面を有することを特徴とする現像カートリッジ。
【請求項４３】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
前記外表面は、前記電気的接触面と交差する第３方向に位置し、
前記外表面は、前記第３方向に移動可能であり、
第１状態と第２状態との間で前記第３方向に伸縮可能な弾性部材であって、前記外表面と共に移動可能な弾性部材をさらに備え、
前記第１状態における前記弾性部材の前記第３方向の長さは、前記第２状態における前記弾性部材の前記第３方向の長さよりも長いことを特徴とする現像カートリッジ。
【請求項４４】
請求項４３に記載の現像カートリッジであって、
前記弾性部材が前記第２状態のとき、前記ホルダは、前記筐体に対して、前記第１位置と前記第２位置との間で前記第２方向に、移動可能であることを特徴とする現像カートリッジ。
【請求項４５】
請求項４４に記載の現像カートリッジであって、
前記現像カートリッジが画像形成装置に取り付けられるときに、前記弾性部材が前記第１状態から前記第２状態となり、
前記弾性部材が前記第２状態のときに、前記電気的接触面が前記画像形成装置の電気コネクタと接触し、
前記ホルダは、前記弾性部材が前記第２状態のときに、前記筐体に対して、前記第１位置と前記第２位置との間で前記第２方向に移動可能であることを特徴とする現像カートリッジ。
【請求項４６】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
前記ホルダは、前記筐体の前記第１方向の側部に配置され、
前記筐体の前記第１方向の前記側部に位置するホルダカバーであって、前記ホルダの少なくとも一部を覆うホルダカバーをさらに備え、
前記ホルダカバーは、第１凹部または第１貫通孔を有し、
前記ホルダは、前記第１方向に延び、前記第１凹部または前記第１貫通孔の内部に挿入される第１ボスをさらに備え、
前記筐体に対して前記ホルダが前記第１位置と前記第２位置との間で前記第２方向に移動するときに、前記第１ボスは、前記第１凹部または前記第１貫通孔の内部において前記第２方向に移動可能であることを特徴とする現像カートリッジ。
【請求項４７】
請求項４６に記載の現像カートリッジであって、
前記第１凹部または前記第１貫通孔の前記第２方向の大きさは、前記第１ボスの前記第２方向の大きさよりも大きいことを特徴とする現像カートリッジ。
【請求項４８】
請求項４６または請求項４７に記載の現像カートリッジであって、
前記筐体の前記第１方向の側部は、第２凹部または第２貫通孔を有し、
前記ホルダは、前記第１方向に延び、前記ホルダに対して、前記第１ボスとは反対側に位置する第２ボスであって、前記第２凹部または前記第２貫通孔の内部に挿入される第２ボスをさらに備え、
前記筐体に対して前記ホルダが前記第１位置と前記第２位置との間で前記第２方向に移動するときに、前記第２ボスは、前記第２凹部または前記第２貫通孔の内部において前記第２方向に移動可能であることを特徴とする現像カートリッジ。
【請求項４９】
請求項４８に記載の現像カートリッジであって、
前記第２凹部または前記第２貫通孔の前記第２方向の大きさは、前記第２ボスの前記第２方向の大きさよりも大きいことを特徴とする現像カートリッジ。
【請求項５０】
請求項４６から請求項４９のいずれか一項に記載の現像カートリッジであって、
前記ホルダは、さらに、前記筐体に対して、第３位置と第４位置との間で前記第３方向に移動可能であり、
前記ホルダが前記第３位置と前記第４位置との間で前記第３方向に移動するときに、前記第１ボスは、前記第１凹部内または前記第１貫通孔内において前記第３方向に移動可能であることを特徴とする現像カートリッジ。
【請求項５１】
請求項５０に記載の現像カートリッジであって、
前記第１凹部または前記第１貫通孔の前記第３方向の大きさは、前記第１ボスの前記第３方向の大きさよりも大きいことを特徴とする現像カートリッジ。
【請求項５２】
請求項５０または請求項５１に記載の現像カートリッジであって、
前記筐体の前記第１方向の側部は、第２凹部または第２貫通孔を有し、
前記ホルダは、前記第１方向に延び、前記ホルダに対して、前記第１ボスとは反対側に位置する第２ボスであって、前記第２凹部または前記第２貫通孔の内部に挿入される第２ボスをさらに備え、
前記ホルダは、さらに、前記筐体に対して、第３位置と第４位置との間で前記第３方向に移動可能であり、
前記筐体に対して前記ホルダが前記第１位置と前記第２位置との間で前記第２方向に移動するときに、前記第２ボスは、前記第２凹部または前記第２貫通孔の内部において前記第２方向に移動可能であり、
前記ホルダが前記第３位置と前記第４位置との間で前記第３方向に移動するときに、前記第２ボスは、前記第２凹部内または前記第２貫通孔内において前記第３方向に移動可能であることを特徴とする現像カートリッジ。
【請求項５３】
請求項５２に記載の現像カートリッジであって、
前記第１凹部または前記第１貫通孔の前記第３方向の大きさは、前記第１ボスの前記第３方向の大きさよりも大きく、
前記第２凹部または前記第２貫通孔の前記第３方向の大きさは、前記第２ボスの前記第３方向の大きさよりも大きいことを特徴とする現像カートリッジ。
【請求項５４】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
前記ホルダは、前記筐体の前記第１方向の側部に配置され、
前記筐体は、
前記筐体の前記第１方向の前記側部に位置するホルダカバーであって、前記ホルダの少なくとも一部を覆うホルダカバーと、
前記第１方向に延びるボスであって、前記側部と前記ホルダカバーとの間に位置するボスと、をさらに備え、
前記ホルダは、前記ボスが挿入される凹部または貫通孔をさらに有し、
前記ホルダが前記第１位置と前記第２位置との間で前記第２方向に移動するときに、前記ボスは、前記凹部または前記貫通孔の内部において前記第２方向に移動可能であることを特徴とする現像カートリッジ。
【請求項５５】
請求項５４に記載の現像カートリッジであって、
前記凹部または前記貫通孔の前記第２方向の長さは、前記ボスの前記第２方向の長さよりも長いことを特徴とする現像カートリッジ。
【請求項５６】
請求項５４または請求項５５に記載の現像カートリッジであって、
前記ホルダは、さらに、前記筐体に対して、第３位置と第４位置との間で前記第３方向に移動可能であり、
前記ホルダが前記第３位置と前記第４位置との間で前記第３方向に移動するときに、前記ボスは、前記凹部内または前記貫通孔内において前記第３方向に移動可能であることを特徴とする現像カートリッジ。
【請求項５７】
請求項５６に記載の現像カートリッジであって、
前記凹部または前記貫通孔の前記第３方向の大きさは、前記ボスの前記第３方向の大きさよりも大きいことを特徴とする現像カートリッジ。
【請求項５８】
請求項５４から請求項５７のいずれか一項に記載の現像カートリッジであって、
前記ホルダカバーは、前記ボスを備えることを特徴とする現像カートリッジ。
【請求項５９】
請求項５４から請求項５７のいずれか一項に記載の現像カートリッジであって、
前記側部は、前記ボスを備えることを特徴とする現像カートリッジ。
【請求項６０】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
前記筐体と前記ホルダとの間において、前記第３方向に延びる弾性体をさらに備え、
前記弾性体の前記第３方向の一端が、前記ホルダに接続され、
前記弾性体の前記第３方向の他端が、前記筐体に接続され、
前記弾性体の前記一端が、前記他端に対して、前記第２方向に移動可能であることを特徴とする現像カートリッジ。
【請求項６１】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
前記筐体と前記ホルダとの間において、前記第３方向に延びるアームをさらに備え、
前記アームの前記第３方向の一端が、前記筐体に対して回転可能に接続され、
前記アームの前記第３方向の他端が、前記ホルダに対して回転可能に接続され、
前記アームの前記他端が、前記アームの一端に対して前記第２方向に移動可能であることを特徴とする現像カートリッジ。
【請求項６２】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
レバーをさらに備え、
前記レバーの動作に応じて、前記ホルダは、前記第３方向に移動可能であることを特徴とする現像カートリッジ。
【請求項６３】
現像剤を内部に収容する筐体と、
第１方向に延びる軸について回転可能な現像ローラであって、前記筐体の第２方向における一方側に位置する現像ローラと、
電気的接触面を有する記憶媒体と、
前記筐体に対して、第１位置と第２位置との間で前記第２方向に、前記電気的接触面と共に移動可能なホルダであって、前記ホルダの外表面に前記電気的接触面が位置するホルダと、を備え、
前記ホルダは、前記記憶媒体と共に移動可能であることを特徴とする現像カートリッジ。